(57)【特許請求の範囲】
【請求項１】
固定側通電部と、往復運動する可動側の通電部間を中間導体で接続する接続装置において、
前記固定側通電部に、２分割構成されてその一部に係合部を設けた固定側ホルダーを取付ける共に、
前記中間導体を、Ｈ形状に形成してバネ特性を有した接触片を複数枚積層して構成し、前記可動側の通電部を各接触片に形成されたＨ状の一方の開口部内に挟み込んで圧接し、且つ各接触片の他方側に係合手段を形成し、この係合手段と前記固定側ホルダーに形成した係合部とを係合させて固定側と可動側を接続し、前記可動側通電部の往復運動時に前記係合部分で回動するよう構成したことを特徴とした電気的接続装置。
【請求項２】
前記固定側通電部は電力ヒューズのホルダーであり、前記往復運動する通電部は真空バルブの可動電極側ロッドであることを特徴とした請求項１記載の電気的接続装置。
【請求項３】
前記固定側の通電部に形成した係合部は、電力ヒューズのホルダーに形成された孔であり、前記接触片に形成された係合手段は、開口部先端側に形成した凹凸部であることを特徴とした請求項２記載の電気的接続装置。
【請求項４】
前記電力ヒューズのホルダーに支柱部を形成し、この支柱部と連接した下部接続部の両側に前記係合部を形成したことを特徴とした請求項２又は３記載の電気的接続装置。
【発明の詳細な説明】
【技術分野】
【０００１】
本発明は電気的接続装置に係り、特に往復運動する通電部と、この通電部より離れた位置にある固定部との間を、中間接触子を介して電気的に接続する接続装置に関するものである。
【背景技術】
【０００２】
遮断器や高圧電磁接触器などで真空バルブを使用した場合、真空バルブの可動側ロッドと、真空バルブとは異なる固定側の通電部間を電気的に接続することが行われている。この接続装置としては、特許文献１や特許文献２が公知となっている。
特許文献１の図４には、網状導体を用いて固定側の通電部と真空バルブの可動ロッド間を接続することが記載されている。
また、特許文献２には、往復運動する通電接触部と固定接触部を対向配置して中間接触子で接続し、この中間接触子の往復運動する通電接触部側に摺動接触部を設け、固定接触部側に接離可能に接触部を設けることが記載されている。
【特許文献１】特開平８−２２２０９１号公報
【特許文献２】特開２００５−２５９４５０号公報
【発明の開示】
【発明が解決しようとする課題】
【０００３】
特許文献１における網状導体は、可動側ロッド及び中間接触子と締結手段により固定されているので締結数が増加する。したがって、通電電流の変更などによる交換や締結手段の締結調整などメンテナンスが容易でないという問題を有している。
特許文献２では、網状導体の追従部材の代わりに複数の接触片を用いて中間接触子を構成し、この中間接触子に設けた摺動接触部を通電接触部が摺動しながら通電するようにしているため、摺動接触部に発生する摩擦が大きく、摺動接触部を駆動するための電磁石などの駆動装置は大きな力を必要とするため、駆動装置の肥大化によるコスト増大や大きな力を得るために大きな電力を必要としていた。また、摩擦による熱や接触面の荒れが大きくなる。特に高圧電磁接触器などでは動作回数に対する要求が格段に多いため接触面の荒れは問題になり得るものである。また、接触片は固定側をボルト締めしているため、取り付け、交換作業が容易ではない。
【０００４】
本発明が目的とするとこは、着脱容易な電気的接続装置を提供することにある。
【課題を解決するための手段】
【０００５】
本発明の請求項１は、固定側通電部と、往復運動する可動側の通電部間を中間導体で接続する接続装置において、
前記固定側通電部に、２分割構成されてその一部に係合部を設けた固定側ホルダーを取付ける共に、
前記中間導体を、Ｈ形状に形成してバネ特性を有した接触片を複数枚積層して構成し、前記可動側の通電部を各接触片に形成されたＨ状の一方の開口部内に挟み込んで圧接し、且つ各接触片の他方側に係合手段を形成し、この係合手段と前記固定側ホルダーに形成した係合部とを係合させて固定側と可動側を接続し、前記可動側通電部の往復運動時に前記係合部分で回動するよう構成したことを特徴としたものである。
【０００６】
本発明の請求項２は、前記固定側通電部は電力ヒューズのホルダーであり、前記往復運動する通電部は真空バルブの可動電極側ロッドであることを特徴としたものである。
【０００７】
本発明の請求項３は、前記固定側の通電部に形成した係合部は、電力ヒューズのホルダーに形成された孔であり、前記接触片に形成された係合手段は、開口部先端側に形成した凹凸部であることを特徴としたものである。
【０００８】
本発明の請求項４は、前記電力ヒューズのホルダーに支柱部を形成し、この支柱部と連接した下部接続部の両側に前記係合部を形成したことを特徴としたものである。
【発明の効果】
【０００９】
以上のとおり、本発明によれば、固定側の通電部に形成した係合部に可動性があるため、可動電極動作時には接触片自体が回転し、従来のように摺動接触部を通電接触部が摺動しながら通電するよりもはるかに摩擦力が小さくなり、可動電極の操作力が小さくてもよい。したがって、電磁石などの駆動装置は小さくてすみ、電力もおさえることができるので非常に経済的である。
また、接触片の固定にネジなどの締結方法を用いないため、交換が容易で、作業時間が大幅に短縮できるものである。更に、電流容量の変更には接触片の枚数を増減することで任意に対応できる。
【発明を実施するための最良の形態】
【００１０】
図１は、本発明の実施例を高圧真空電磁接触器（以下ＶＭＣという）に適用した場合の構成図を示したものである。ＶＭＣは、三相分が１段構成とされて引出し式のＶＭＣユニットとされ、このＶＭＣユニットを例えば５段のような多段積となってＶＭＣ盤を構成している。図において、１は電力ヒューズで、このヒューズ１は導電体よりなるホルダー２０（２０ａ，２０ｂ）を介してＶＭＣユニットの絶縁物３０に形成されたヒューズ受け部に配設される。２は真空バルブで、電力ヒューズ１の下部位置において電力ヒューズと同列方向に配置され、その固定電極側は絶縁物３０に形成された取付部３１に固定される。また、真空バルブ２の可動電極側ロッドの対向位置には絶縁操作ロッド３が配置され、この絶縁操作ロッド３は電磁操作器４からの操作指令により図面の左右方向に可動することにより、真空バルブ２のオン・オフ制御を行う。
【００１１】
５は遮断バネ、８は金属板よりなる接地板で、電磁操作器４はこの接地金属板８に取付けられる。６は接続導体となる接触片で、電力ヒューズのホルダー２０ｂと真空バルブ２の可動電極側ロッド間を電気的に接続する。この接触片６は、図２で示すように略Ｈ状に形成されてバネ特性を有し、必要により任意の部分が穿孔される。また、この接触片６は後述するようにホルダー２０ｂに取付けるための凹凸部６ａ（係合手段）が形成されている。７は真空バルブ２の固定電極と連設された導体で、ケーブルを介して負荷に接続される。
【００１２】
ホルダー２０のうち電源側のホルダー２０ａは導体１４、コネクタ１５を介してＶＭＣ盤の母線に接続される。負荷側となるホルダー２０ｂは、図３（ａ）〜（ｃ）のように形成されている。図３（ａ）は電力ヒューズの下側、すなわち、接触片６が連設される側の接続側ホルダー２１を示したもので、電力ヒューズ１の導電部を支えるために湾曲状に形成された支柱部２１ａと、この支柱部２１ａと連接した下部に設けられ、接触片６の凹凸部６ａを嵌合するために左右対向して穿設された孔（係合部）２１ｂ、固定側ホルダーを取付けるための孔２１ｃ、２１ｄ、及びネジなどを介して接続側ホルダー２１を固定するための孔２１ｅが設けられる。
【００１３】
接触片６の接続側ホルダー２１への取付けは、接続側ホルダー２１を孔２１ｅ介してＶＭＣユニットの固定部に固定する前、又は後の何れでも良いが、接続側ホルダー２１に接触片６を取付ける場合には、凹凸部６ａが形成された側とは反端側の開口部に真空バルブ２の可動電極を挟み込む。その後、接触片の凹凸部６ａ側の開口を絞り込むようにして接続側ホルダーの孔２１ｂに挿入し、凸部を孔２１ｂに引掛けて止める。この接触片６の取付け枚数は通電する電流容量に応じた任意の数枚が取付けられる。
接触片６の接続側ホルダー２１への取付けが終了すると、電力ヒューズ１の導電部を支柱部２１ａに位置して載置し、電力ヒューズ１の取付けが行われる。
【００１４】
以上のように本発明は、固定側通電部と、可動側の通電部間を接続する中間導体をＨ状に形成した接触片で構成し、固定側通電部との接続は凹凸部による簡単な引掛け（係合状態）構造とし、可動側通電部に対しては開口部で挟み込むように接続したものである。このため、図１で示すように、可動側通電部である真空バルブ２の可動電極ロッドが、絶縁ロッド３、及び遮断バネ５の作用により図面左右方向に移動するとき、接触片６の可動側は電極ロッドを挟み込んだ摩擦力で固定されるため、摺動することなく可動電極ロッドに追従する。
一方、固定側通電部の接触片６はホルダーとは係合状態にあり、恰も吊り下げられた構造となっているため、可動電極ロッド動作時の接触片６は、係合部分を支点として回転する。したがって、従来のように摺動接触部を通電接触部が摺動しながら通電するよりもはるかに摩擦力が小さくなるため、真空バルブの可動電極に対する操作力は小さくともよく、電磁石の小型化、消費電力の抑制が可能となる。
【００１５】
また、接触片は通電する電流の大きさに合わせて枚数を加減するだけでよいので容易に通電電流を変化できると共に、可動側での摺動現象も生じないため、可動電極ロッドとの接触部の荒れ現象が生じなく、長期使用が可能となるためにメンテナンス、及びコスト的にも有利なものとなる。更に、メンテナンス時などで接触片を取り出す場合などでは、接続側ホルダーを取り外すことにより、このホルダーに連なって取り外されるため、組立てや枚数の増減、交換などの作業時間は大幅に短縮できるものである。
【図面の簡単な説明】
【００１６】
【図１】本発明の実施形態を示す構成図。
【図２】接触片の構成図。
【図３】接続側ホルダーの構成図で、（ａ）は上面図、（ｂ）は左側面図、（ｃ）          は正面図。
【符号の説明】
【００１７】
１…  電力ヒューズ
２…  真空バルブ
３…  絶縁ロッド
４…  電磁操作器
５…  遮断バネ
６…  接触片
２０…  ホルダー
２１…  固定側ホルダー
【図１】
0005158771.tif 000002
【図２】
0005158771.tif 000003
【図３】
0005158771.tif 000004